(57)【特許請求の範囲】
【請求項１】
紙葉状の媒体を上下に積層して集積する内部空間を有すると共に、側面上部に当該媒体を外部から挿入するための挿入口が設けられた筐体と、
上記筐体の外部から上記挿入口を介して供給される上記媒体を上記筐体内へ進行させ上記内部空間へ放出する放出部と、
上記媒体の進行方向と直行する幅方向の両端近傍を上方へ持ち上げる持ち上げ部と、
上記筐体の上記内部空間における天井面に固定され、上記放出部により上記内部空間へ放出された上記媒体における幅方向の中央領域のみと対向する上部ガイドと
を具えることを特徴とする媒体集積装置。
【請求項２】
上記放出部は、
上記媒体の一面に当接し所定の駆動力の供給により回転する２以上の駆動ローラと、当該媒体の他面に当接しながら回転し当該媒体を上記駆動ローラへ押し付ける２以上の押付ローラと、上記媒体における、上記駆動ローラ及び上記押付ローラにより挟持される部分同士に挟まれた領域を上方へ持ち上げる第２持ち上げ部とを有する
ことを特徴とする請求項１に記載の媒体集積装置。
【請求項３】
上記放出部は、
上記媒体の一面に当接し所定の駆動力の供給により回転する駆動ローラと、当該媒体の他面に当接しながら回転し当該媒体を上記駆動ローラへ押し付ける押付ローラとを有し、
上記持ち上げ部は、
上記駆動ローラ又は上記押付ローラのうち上記媒体の下面側に位置するものにおける、上記媒体の両端近傍に対応する箇所が、上記駆動ローラ及び上記押付ローラが当接する部分よりも大径化されてなる
ことを特徴とする請求項１に記載の媒体集積装置。
【請求項４】
上記持ち上げ部は、
上記内部空間へ放出された上記媒体を下方向へ叩き付ける羽根車である
ことを特徴とする請求項１に記載の媒体集積装置。
【請求項５】
上記媒体における幅方向の中央箇所を下方向へ押し下げる押し下げ部
をさらに有することを特徴とする請求項１に記載の媒体集積装置。
【請求項６】
紙葉状の媒体を上下に積層して集積する内部空間を有すると共に、側面上部に当該媒体を外部から挿入するための挿入口が設けられた筐体と、
上記筐体の外部から上記挿入口を介して供給される上記媒体を上記筐体内へ進行させ上記内部空間へ放出する放出部と、
上記媒体の進行方向と直行する幅方向の両端近傍を上方へ持ち上げる持ち上げ部と、
上記筐体の上記内部空間における天井面に設けられ、上記放出部により上記内部空間へ放出された上記媒体における幅方向の中央領域と対向し、当該媒体における上記両端近傍と対向する部分の対向面が、当該媒体の進行方向に沿って下降する上部ガイドと
を具えることを特徴とする媒体集積装置。
【請求項７】
紙葉状の媒体を上下に積層して集積する内部空間を有すると共に、側面上部に当該媒体を外部から挿入するための挿入口が設けられた筐体と、
上記筐体の外部から上記挿入口を介して供給される上記媒体を上記筐体内へ進行させ上記内部空間へ放出する放出部と、
上記媒体の進行方向と直行する幅方向の両端近傍を上方へ持ち上げる持ち上げ部と、
上記筐体の上記内部空間における天井面に設けられ、上記放出部により上記内部空間へ放出された上記媒体における幅方向の中央領域のみと対向し、上記放出部により形成される上記媒体の形状に応じた起伏が下面に形成されている上部ガイドと
を具えることを特徴とする媒体集積装置。
【請求項８】
紙葉状の媒体に関する取引を受け付ける受付部と、
上記受付部により受け付けた上記媒体を搬送する搬送部と、
上記媒体を上下に積層して集積する内部空間を有すると共に、側面上部に当該媒体を外部から挿入するための挿入口が設けられた筐体と、
上記搬送部により搬送され上記挿入口を介して供給される上記媒体を上記筐体内へ進行させ上記内部空間へ放出する放出部と、
上記媒体の進行方向と直行する幅方向の両端近傍を上方へ持ち上げる持ち上げ部と、
上記筐体の上記内部空間における天井面に固定され、上記放出部により上記内部空間へ放出された上記媒体における幅方向の中央領域のみと対向する上部ガイドと
を具えることを特徴とする媒体取引装置。
【発明の詳細な説明】
【技術分野】
【０００１】
本発明は、媒体集積装置及び媒体取引装置に関し、例えば現金に関する所望の取引を行う際、紙幣等の媒体を所定の紙幣収納庫に集積する現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとの紙幣や損傷した紙幣等を分類し、整然と集積された状態で収納する紙幣収納庫とを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。
【０００５】
続いて現金自動預払機は、顧客により入金金額が確定されると、一時保留部に保留した紙幣の金種を鑑別部により再鑑別し、鑑別された金種に応じて金種ごとの紙幣収納庫へ収納する。またこのとき現金自動預払機は、損傷しているため以降の取引において出金すべきでない紙幣（いわゆるリジェクト紙幣）を専用の紙幣収納庫（リジェクト庫）に収納する。
【０００６】
例えば図１７に示すように、従来のリジェクト庫６１７は、図示しない搬送路から短辺方向に沿って搬送されてくる紙幣ＢＬを筐体２１の上部側方から取り込み、放出部２４内の上側及び下側でそれぞれ回転する放出ローラ２５及びプレッシャローラ２８により当該紙幣ＢＬを空間２２内へ放出する。
【０００７】
そしてリジェクト庫６１７は、紙幣ＢＬをビルストッパ３０に衝突させると共に、放出ローラ２５と同軸で回転する羽根車２６の羽根により当該紙幣ＢＬの一端（図の右端）近傍を下方向へ叩き付け、集積していく。
【０００８】
ここで、例えば図１８に示すように、空間２２へ放出された紙幣ＢＬの先端が下方を向いてしまうと、リジェクト庫６１７の内側面と集積された紙幣ＢＬ（以下これを集積済紙幣ＣＢＬと呼ぶ）との間に入り込んでしまう恐れがある。このとき当該紙幣ＢＬは、集積済紙幣ＣＢＬに対し位置ずれや傾きを有した状態で重なり、或いは重ならず立てられた状態となり、整然と集積されなくなってしまう。
【０００９】
このため紙幣ＢＬは、空間２２内においてビルストッパ３０へ向けて、ほぼ水平に進行することが望ましい。
【００１０】
そこで紙幣収納庫のなかには、紙幣ＢＬの幅方向（進行方向と直行する方向）における両端部分を持ち上げて湾曲させた状態で空間２２内へ放出するものが提案されている（例えば、特許文献１参照）。
【００１１】
このとき紙幣収納庫は、紙幣ＢＬにおける幅方向の両端を湾曲させることにより、放出後に上下方向に湾曲させることなく、直進性を高めることができ、ほぼ水平に進行させることが可能となる。
【先行技術文献】
【特許文献】
【００１２】
【特許文献１】特開２００８−２７６３８５公報（第３図）
【発明の概要】
【発明が解決しようとする課題】
【００１３】
ところで紙幣収納庫では、空間２２内へ放出される紙幣ＢＬが上方向へ進行してしまうと、例えばビルストッパ３０の上方における筐体２１との隙間等に入り込み挟まってしまう恐れがあり、当該紙幣ＢＬを集積済紙幣ＣＢＬの上に正しく集積できなくなる可能性がある。
【００１４】
そこで紙幣収納庫では、空間２２の天井面側、すなわち筐体２１における天板２１Ａの下面に、紙幣ＢＬを上方へ進行させないための上部ガイド６２３を設けることが考えられる。この上部ガイド６２３は、その下面が、空間２２内における紙幣ＢＬの理想的な進行経路から僅かに離れるように設けられる。
【００１５】
しかしながら上部ガイド６２３は、図１９に示すように、紙幣ＢＬの上方へ湾曲された両端部分と干渉するため、当該両端部分を他の部分と同程度の高さまで押し下げてしまう。この結果、リジェクト庫６１７は、紙幣ＢＬの直進性を高めることができず、先端をビルストッパ３０に衝突させ得ない可能性が高まり、当該紙幣ＢＬを整然と集積できなくなる恐れがある、という問題があった。
【００１６】
本発明は以上の点を考慮してなされたもので、媒体を整然と集積することができる媒体集積装置及び媒体取引装置を提案しようとするものである。
【課題を解決するための手段】
【００１７】
かかる課題を解決するため本発明の媒体集積装置においては、紙葉状の媒体を上下に積層して集積する内部空間を有すると共に、側面上部に当該媒体を外部から挿入するための挿入口が設けられた筐体と、筐体の外部から挿入口を介して供給される媒体を筐体内へ進行させ内部空間へ放出する放出部と、媒体の進行方向と直行する幅方向の両端近傍を上方へ持ち上げる持ち上げ部と、筐体の内部空間における天井面に固定され、放出部により内部空間へ放出された媒体における幅方向の中央領域のみと対向する上部ガイドとを設けるようにした。
【００１８】
また本発明の媒体集積装置においては、紙葉状の媒体を上下に積層して集積する内部空間を有すると共に、側面上部に当該媒体を外部から挿入するための挿入口が設けられた筐体と、筐体の外部から挿入口を介して供給される媒体を筐体内へ進行させ内部空間へ放出する放出部と、媒体の進行方向と直行する幅方向の両端近傍を上方へ持ち上げる持ち上げ部と、筐体の内部空間における天井面に設けられ、放出部により内部空間へ放出された媒体における幅方向の中央領域と対向すると共に、当該媒体における両端近傍と対向する部分の対向面が、当該媒体の進行方向に沿って下降する上部ガイドとを設けるようにした。
さらに本発明の媒体集積装置においては、紙葉状の媒体を上下に積層して集積する内部空間を有すると共に、側面上部に当該媒体を外部から挿入するための挿入口が設けられた筐体と、筐体の外部から挿入口を介して供給される媒体を筐体内へ進行させ内部空間へ放出する放出部と、媒体の進行方向と直行する幅方向の両端近傍を上方へ持ち上げる持ち上げ部と、筐体の内部空間における天井面に設けられ、放出部により内部空間へ放出された媒体における幅方向の中央領域のみと対向し、放出部により形成される媒体の形状に応じた起伏が下面に形成されている上部ガイドとを設けるようにした。
【００１９】
また本発明の媒体取引装置においては、紙葉状の媒体に関する取引を受け付ける受付部と、受付部により受け付けた媒体を搬送する搬送部と、媒体を上下に積層して集積する内部空間を有すると共に、側面上部に当該媒体を外部から挿入するための挿入口が設けられた筐体と、搬送部により搬送され挿入口を介して供給される媒体を筐体内へ進行させ内部空間へ放出する放出部と、媒体の進行方向と直行する幅方向の両端近傍を上方へ持ち上げる持ち上げ部と、筐体の内部空間における天井面に固定され、放出部により内部空間へ放出された媒体における幅方向の中央領域のみと対向する上部ガイドとを設けるようにした。
【００２０】
これにより、内部空間において上方へ持ち上げられた媒体の両端近傍と上部ガイドとの干渉を回避することができるので、媒体の上下方向に関する曲げ強度を高めたまま、天井面に固定された上部ガイドにより媒体の中央部分を安定的に案内して当該媒体を上方向へ進行させること無く内部空間を直進させることができる。
【発明の効果】
【００２１】
本発明によれば、内部空間において上方へ持ち上げられた媒体の両端近傍と上部ガイドとの干渉を回避することができるので、媒体の上下方向に関する曲げ強度を高めたまま、天井面に固定された上部ガイドにより媒体の中央部分を安定的に案内して当該媒体を上方向へ進行させること無く内部空間を直進させることができる。かくして本発明は、媒体を整然と集積することができる媒体集積装置及び媒体取引装置を実現できる。
【図面の簡単な説明】
【００２２】
【図１】現金自動預払機の外観構成を示す略線的斜視図である。
【図２】現金自動預払機の内部構成を示す略線図である。
【図３】第１の実施の形態によるリジェクト庫の構成（１）を示す略線図である。
【図４】第１の実施の形態によるリジェクト庫の構成（２）を示す略線図である。
【図５】第１の実施の形態による紙幣放出の様子（１）を示す略線図である。
【図６】放出される紙幣の形状を示す略線図である。
【図７】第１の実施の形態による紙幣放出の様子（２）を示す略線図である。
【図８】第２の実施の形態による紙幣放出の様子を示す略線図である。
【図９】第３の実施の形態による放出部の構成を示す略線図である。
【図１０】第３の実施の形態による紙幣放出の様子を示す略線図である。
【図１１】他の実施の形態による上部ガイドの構成（１）を示す略線図である。
【図１２】他の実施の形態による上部ガイドの構成（２）を示す略線図である。
【図１３】他の実施の形態による上部ガイドの構成（３）を示す略線図である。
【図１４】他の実施の形態による上部ガイドの構成（４）を示す略線図である。
【図１５】他の実施の形態によるリジェクト庫の構成（１）を示す略線図である。
【図１６】他の実施の形態によるリジェクト庫の構成（２）を示す略線図である。
【図１７】従来のリジェクト庫の構成を示す略線図である。
【図１８】従来のリジェクト庫における紙幣放出の様子を示す略線図である。
【図１９】従来の上部ガイドの構成を示す略線図である。
【発明を実施するための形態】
【００２３】
以下、発明を実施するための形態（以下実施の形態とする）について、図面を用いて説明する。
【００２４】
［１．第１の実施の形態］
［１−１．現金自動預払機の全体構成］
図１に外観を示すように、現金自動預払機１は、箱状の筐体２を中心に構成されており、顧客との間で現金に関する取引を行うようになされている。
【００２５】
筐体２は、その前面２Ａ側に顧客が対峙した状態で紙幣の投入やタッチパネルによる操作等をしやすい箇所、すなわち前面２Ａの上部から上面に渡る箇所に、接客部３が設けられている。
【００２６】
接客部３は、顧客との間で現金や通帳等を直接やり取りすると共に、取引に関する情報の通知や操作指示の受付を行うようになされており、硬貨入出金口４、紙幣入出金口５、通帳挿入口６、カード挿入口７及び表示操作部８が設けられている。
【００２７】
硬貨入出金口４及び紙幣入出金口５は、顧客が入金する硬貨及び紙幣ＢＬがそれぞれ投入されると共に、顧客へ出金する硬貨及び紙幣ＢＬがそれぞれ排出される部分である。また硬貨入出金口４及び紙幣入出金口５は、それぞれに設けられたシャッタを駆動することにより開放又は閉塞するようになされている。因みに紙幣ＢＬは、例えば長方形の紙で構成されている。
【００２８】
通帳挿入口６は、取引で使用される通帳が挿入され、取引が終了すると通帳が排出される部分である。この通帳挿入口６の奥部には、取引内容等を通帳に記録する通帳処理部（図示せず）が設けられている。
【００２９】
カード挿入口７は、キャッシュカード等の各種カードが挿入または排出される部分である。カード挿入口７の奥部には、各種カードに磁気記録された口座番号等の読み取りを行うカード処理部（図示せず）が設けられている。
【００３０】
表示操作部８は、取引に際して操作画面を表示するＬＣＤ（Liquid Crystal Display）と、取引の種類の選択、暗証番号や取引金額等を入力するタッチパネルとが一体化されている。
【００３１】
因みに筐体２は、前面２Ａ側やその反対側（すなわち背面側）等の一部の側面が開閉可能な扉により構成されている。すなわち筐体２は、顧客との間で現金に関する取引を行う取引動作時には、各扉を閉塞することにより、内部に保有している紙幣ＢＬや硬貨等を保護する。一方筐体２は、作業者等が保守作業を行う保守作業時には、必要に応じて各扉を開放することにより、内部の各部に対する作業を容易に行わせ得る。
【００３２】
図２は、図１の現金自動預払機１を矢印Ａ方向から見た側面図であり、当該現金自動預払機１の内部構成のうち主に紙幣ＢＬの処理に関する部分を示している。同図に示したように、現金自動預払機１の内部には、上側に接客部３、紙幣ＢＬの金種や真偽を判定する鑑別部１２及び入金された紙幣ＢＬを一時的に保留する一時保留部１３等が設けられており、下側に紙幣ＢＬを金種別に貯蔵する紙幣貯蔵部１５等が設けられている。
【００３３】
また現金自動預払機１の内部には、図中太線で示す搬送路に沿って各部の間で紙幣ＢＬを搬送する搬送部１１が設けられている。搬送部１１は、紙幣ＢＬの短辺方向を進行方向として搬送するようになされている。
【００３４】
この現金自動預払機１は、制御部１０により全体を統括制御するようになされている。制御部１０は、例えば顧客が紙幣ＢＬを入金する入金取引を行う場合、表示操作部８を介して所定の操作入力を受け付けた後、紙幣入出金口５のシャッタを開いて紙幣ＢＬを投入させる。
【００３５】
続いて制御部１０は、投入された紙幣ＢＬを搬送部１１を介して鑑別部１２へ搬送して鑑別させ、正常紙幣と鑑別された紙幣ＢＬを一時保留部１３へ搬送して一時的に保留する一方、取引すべきでないと鑑別された紙幣ＢＬを紙幣入出金口５へ搬送して顧客に返却する。
【００３６】
その後制御部１０は、表示操作部８を介して顧客に入金金額を確定させ、一時保留部１３に保留している紙幣ＢＬを再び鑑別部１２へ搬送して金種を再鑑別させた後、さらに紙幣貯蔵部１５へ搬送する。
【００３７】
紙幣貯蔵部１５は、鑑別部１２により損傷していないと鑑別された紙幣ＢＬを、その金種に対応した各紙幣収納庫１６へ搬送し、厚さ方向に重ねて集積するように収納させる。
【００３８】
また紙幣貯蔵部１５は、鑑別部１２により損傷していると鑑別されたた紙幣ＢＬをリジェクト庫１７へ搬送し、厚さ方向に重ねて集積するように収納させる。
【００３９】
［１−２．リジェクト庫の構成］
図３に側面図を示すように、リジェクト庫１７は、筐体２１内の空間２２に紙幣ＢＬを上下に重ねて集積するようになされている。
【００４０】
筐体２１は、現金自動預払機１内に設置された際に前面２Ａ（図１）側となる前側及びその反対の後側、当該前面２Ａ側に対峙した顧客から見て左及び右となる左側及び右側、並びに下側及び上側の各面を隔壁として閉塞することにより、当該隔壁に囲まれた空間２２を形成している。
【００４１】
空間２２は、紙幣ＢＬの長手方向及び短手方向をそれぞれ左右及び前後に向けた状態で、多数の紙幣ＢＬを上方向に順次集積できるよう、各部の大きさが適宜規定されている。
【００４２】
また筐体２１における前側面の上部には、前後方向に貫通する孔部が貫設されている。この孔部の近傍には、紙幣ＢＬを空間２２へ放出する放出部２４が設けられている。この放出部２４は、放出ローラ２５、羽根車２６及びプレッシャローラ２８等の組み合わせにより構成されている。
【００４３】
図４に正面図を示すように、放出部２４の下側では、放出ローラ２５（２５Ａ及び２５Ｂ）と羽根車２６（２６Ａ、２６Ｂ、２６Ｃ、２６Ｄ及び２６Ｅ）とが左右方向に沿った細長い円柱状のシャフト２７に貫通されている。シャフト２７には、左側から順に、羽根車２６Ａ、放出ローラ２５Ａ、羽根車２６Ｂ、２６Ｃ、２６Ｄ、放出ローラ２５Ｂ、及び羽根車２６Ｅがそれぞれ所定の間隔を空けて取り付けられている。
【００４４】
放出ローラ２５（２５Ａ及び２５Ｂ）は、円柱状に形成された円柱部３１（３１Ａ及び３１Ｂ）と、当該円柱部３１Ａ及び３１Ｂの外側に設けられ、当該円柱部３１Ａ及び３２Ｂとの境界部分から外側へ進むにつれて半径が徐々に拡大する円錐台状の円錐台部３２（３２Ａ及び３２Ｂ）とが接合された形状を有している。
【００４５】
また放出ローラ２５のうち後述するプレッシャローラ２８と当接する部分には、金属や硬質の樹脂のような比較的硬い材料で構成されると共に、周側面に摩擦部材が巻き付けられていることにより、紙幣ＢＬに対し滑り難いようになされている。
【００４６】
羽根車２６（２６Ａ、２６Ｂ、２６Ｃ、２６Ｄ及び２６Ｅ）は、図３に示したように、円柱状でなる中心部分の外周面から外方へ向けて、矩形板状でなる羽根が放射状に８本（８枚）延設されている。
【００４７】
この羽根車２６は、例えばエラストマー樹脂のように、可撓性を有すると共に滑り難い材料により構成されている。このため羽根車２６の各羽根は、紙幣ＢＬに当接すると、弾性変形すると共に当該紙幣ＢＬに当接した状態を維持し、当該紙幣ＢＬとの間である程度の摩擦力を作用させることになる。
【００４８】
放出ローラ２５及び羽根車２６は、図示しない駆動機構によりシャフト２７が軸芯を中心に矢印Ｆ方向（図３）に回転されると、当該シャフト２７と共に矢印Ｆ方向に回転するようになされている。
【００４９】
放出部２４における上側には、放出ローラ２５の円柱部３１とそれぞれ対向する箇所にプレッシャローラ２８（２８Ａ及び２８Ｂ）が設けられている。プレッシャローラ２８は、放出ローラ２５の円柱部３１よりも左右方向の長さが短い（すなわち薄い）円柱状に構成されており、シャフト２９（図３）に貫通されている。このシャフト２９は、その軸芯を中心に自在に回転すると共に、例えば圧縮スプリング（図示せず）等の押圧手段により下方向へ押し付けられている。
【００５０】
かかる構成により放出部２４は、シャフト２７が回転駆動されることにより、放出ローラ２５及び羽根車２６を矢印Ｆ方向に回転させる。そして放出部２４は、搬送部１１（図２）を介して矢印Ｅ方向（図３）から紙幣ＢＬが搬送されてくると、上側のプレッシャローラ２８と下側の放出ローラ２５との間に当該紙幣ＢＬを挟み込み、後方へ進行させる。
【００５１】
このとき放出部２４は、図４と対応する図５に示すように、放出ローラ２５における円錐台部３２の形状により、紙幣ＢＬにおける左右の端部を上方向に持ち上げて後方へ進行させ、当該紙幣ＢＬをそのままの形状で空間２２内へ放出する。因みに羽根車２６は、羽根の弾性力が比較的弱いため、紙幣ＢＬを持ち上げることはできず、羽根を当該紙幣ＢＬに当接させた状態となる。
【００５２】
以下では、図６に示すように、紙幣ＢＬのうちプレッシャローラ２８及び放出ローラ２５に挟持された領域をそれぞれ挟持領域ＲＡ及びＲＢと呼び、当該挟持領域ＲＡ及びＲＢに挟まれた中央の領域を中央領域ＲＣと呼び、さらに当該挟持領域ＲＡ及びＲＢよりも外方、すなわち左右の端部をそれぞれ端部領域ＲＤ及びＲＥと呼ぶ。
【００５３】
一方、筐体２１（図３）における後内側面の上部、すなわち空間２２内で放出部２４と対向する部分には、上下方向に長い四角柱状のビルストッパ３０が２本、左右に隙間を介して設けられている。このビルストッパ３０は、下端部に設けられた回動軸を介して筐体２１の後側部分に取り付けられており、筐体２１に対し当該回動軸を中心に回動し得るようになされている。
【００５４】
ビルストッパ３０と筐体２１の内側面との間には、スプリング（図示せず）が取り付けられている。すなわちビルストッパ３０は、後方向への外力が加えられると、後方向へ回動すると共にスプリングを圧縮させることにより当該外力を吸収し、さらに当該スプリングの復元力により前方向へ向かう力が作用することになる。
【００５５】
因みにビルストッパ３０は、その前面に、左右方向に延びる溝が上下方向に繰り返し形成されており、紙幣ＢＬが衝突した時に当該紙幣ＢＬの後側端部を滑らせないようになされている。
【００５６】
さらに筐体２１の上側を形成する天板２１Ａの内側面には、紙幣ＢＬが上方向へ進行することを防止するための上部ガイド２３が取り付けられている。
【００５７】
上部ガイド２３は、全体として直方体状に構成されている。上部ガイド２３の下面は、放出ローラ２５の円柱部３１とプレッシャローラ２８との当接面よりも上方に位置しており、その表面が平滑に形成されている。
【００５８】
また上部ガイド２３は、図４に示したように、左右方向の長さが空間２２における左右方向の長さよりも短く、おおむね左右の放出ローラ２５Ａ及び２５Ｂにおける円錐台部３２Ａ及び３２Ｂに対応する箇所に左右の側面が位置している。
【００５９】
ここでリジェクト庫１７における各部の大きさ、長さや間隔等は、現金自動預払機１が対応すべき全種類の紙幣ＢＬの大きさ等に応じて適切に定められている。このため放出部２４は、プレッシャローラ２８Ａ及び２８Ｂの間隔並びに放出ローラ２５Ａ及び２５Ｂの間隔も紙幣ＢＬに合わせて最適化されている。さらに上部ガイド２３は、左右方向の長さや上下方向の高さが、紙幣ＢＬの長手方向の長さや当該紙幣ＢＬにおける端部領域ＲＤ及びＲＥの長さ及び持ち上げられる角度等に合わせて最適化されている。
【００６０】
このため上部ガイド２３は、図５に示したように、放出部２４において上方向に持ち上げられた紙幣ＢＬの左右の端部との干渉を回避することができる。これを換言すれば、上部ガイド２３は、仮に紙幣ＢＬが上方向へ進行しようとした場合、当該紙幣ＢＬの中央領域ＲＣ並びに挟持領域ＲＡ及びＲＢと当接することにより、当該紙幣ＢＬが上方向へ進行することを防止するようになされている。
【００６１】
［１−３．動作及び効果］
以上の構成において、第１の実施の形態によるリジェクト庫１７は、搬送部１１（図２）から紙幣ＢＬが搬送されてくると、放出部２４によりシャフト２７と共に放出ローラ２５及び羽根車２６を矢印Ｆ方向に回転させ、当該紙幣ＢＬを取り込む。
【００６２】
放出部２４は、プレッシャローラ２８により紙幣ＢＬを放出ローラ２５に押し付け、当該プレッシャローラ２８及び放出ローラ２５の間に当該紙幣ＢＬを挟み込む。
【００６３】
このとき放出部２４は、放出ローラ２５の円錐台部３２が円柱部３１とプレッシャローラ２８との当接面よりも上方へ突出しているため、紙幣ＢＬの端部領域ＲＤ及びＲＥ（図６）を上方へ持ち上げる。
【００６４】
さらに放出部２４は、放出ローラ２５を回転させることによりその回転駆動力を紙幣ＢＬに伝達し、当該紙幣ＢＬを後方向へ進行させる。これにより紙幣ＢＬは、左右の端部領域ＲＤ及びＲＥが上方へ持ち上げられ、全体としての上下方向に関する曲げ強度が高められた状態で空間２２内へ放出される。
【００６５】
一方、天板２１Ａの下面に取り付けられた上部ガイド２３は、左右の長さが紙幣ＢＬの全長よりも短く、おおむね放出ローラ２５Ａ及び２５Ｂの円錐台部３２Ａ及び３２Ｂよりも内側の範囲にのみ設けられている。
【００６６】
これによりリジェクト庫１７は、紙幣ＢＬの端部領域ＲＤ及びＲＥを上部ガイド２３に当接させることなく十分に持ち上げた状態を維持したまま、空間２２内を滑空させるように、後方へ向けてほぼ直進させることができる。
【００６７】
このとき上部ガイド２３は、その下面を紙幣ＢＬの中央領域ＲＣ並びに挟持領域ＲＡ及びＲＢと対向させることができ、当該紙幣ＢＬが上方へ進行しないよう抑制することができる。
【００６８】
その後紙幣ＢＬは、ビルストッパ３０に衝突する。このときビルストッパ３０は、前面に対し紙幣ＢＬがほぼ垂直に衝突するため、当該紙幣ＢＬの前端部分を下方に滑らせることなく溝により受け止め、スプリング（図示せず）の弾性作用により当該紙幣ＢＬを前方へ押し返す。
【００６９】
すなわちリジェクト庫１７は、放出部２４による紙幣ＢＬの放出後、当該紙幣ＢＬを空間２２内で後方へ向けてほぼ直進させることにより、ビルストッパ３０によって前方へ押し返すことができるので、当該紙幣ＢＬの先端を筐体２１と集積済紙幣ＣＢＬとの間に潜り込ませる恐れを格段に低減することができる。
【００７０】
さらに羽根車２６は、羽根により紙幣ＢＬの前側端部近傍を下方向へ叩き付け、当該紙幣ＢＬを集積済紙幣ＣＢＬの上に集積させる。
【００７１】
これによりリジェクト庫１７は、集積済紙幣ＣＢＬの各紙幣ＢＬに対し位置ずれや傾きを殆ど生じさせることなく、位置を揃えるように新たな紙幣ＢＬを重ねることができるので、最終的に各紙幣ＢＬを整然と集積することができる。
【００７２】
特に紙幣ＢＬは、顧客に取り扱われる間に折り曲げられ、或いは丸められて曲げ強度が弱められた状態、いわゆるコシの弱い状態となっている場合がある。しかしながらリジェクト庫１７は、このようにコシの弱い紙幣ＢＬについても、端部領域ＲＤ及びＲＥを持ち上げて曲げ強度を高めたまま空間２２内を滑空させることができるので、最終的に整然と集積することができる。
【００７３】
以上の構成によれば、現金自動預払機１のリジェクト庫１７は、放出部２４のプレッシャローラ２８及び放出ローラ２５の間に紙幣ＢＬを挟み込み、当該放出ローラ２５の円錐台部３２により端部領域ＲＤ及びＲＥを上方へ持ち上げて後方へ進行させ、空間２２内へ放出する。このときリジェクト庫１７は、上部ガイド２３をおおむね放出ローラ２５Ａ及び２５Ｂの円錐台部３２Ａ及び３２Ｂよりも内側の範囲にのみ設けたことにより、紙幣ＢＬの端部領域ＲＤ及びＲＥを当該上部ガイド２３に当接させることなく、当該紙幣ＢＬの上下方向への曲げ強度を高めたまま空間２２内を後方へ向けてほぼ直進させることができる。この結果リジェクト庫１７は、集積済紙幣ＣＢＬと位置を揃えるように新たな紙幣ＢＬを重ねて、整然と集積することができる。
【００７４】
［２．第２の実施の形態］
第２の実施の形態による現金自動預払機１０１は、第１の実施の形態による現金自動預払機１と比較して、リジェクト庫１７に代わるリジェクト庫１１７を有する点が異なるものの、他の点については同様に構成されている。
【００７５】
［２−１．リジェクト庫の構成］
リジェクト庫１１７は、リジェクト庫１７と比較して、放出部２４に代わる放出部１２４を有する点が相違するものの、他の点については同様に構成されている。
【００７６】
放出部１２４は、図５と対応する図８に示すように、放出ローラ２５（２５Ａ及び２５Ｂ）並びに羽根車２６（２６Ａ〜２６Ｅ）に代わる放出ローラ１２５（１２５Ａ及び１２５Ｂ）並びに羽根車１２６（１２６Ａ〜１２６Ｅ）を有する点が相違するものの、他の点は放出部２４と同様に構成されている。
【００７７】
放出ローラ１２５は、放出ローラ２５における円錐台部３２が円柱部３１と同径の円柱となっており、全体として円柱状に構成されている。
【００７８】
羽根車１２６は、羽根車２６と同様の形状に形成されている。一方、羽根車１２６の構成材料は、羽根車２６と同様に可撓性を有すると共に滑り難い性質を有するものの、より硬くなっている。このため羽根車１２６の羽根は、羽根車２６の羽根と比較して撓み難く、いわば弾性力が強くなっている。
【００７９】
これにより羽根車１２６の羽根は、特に張力が加えられていない状態の紙幣ＢＬであれば持ち上げることができ、左右方向に張力が加えられた状態の紙幣ＢＬであれば、僅かに持ち上げることができる。
【００８０】
かかる構成により放出部１２４は、外部から紙幣ＢＬが搬送され放出ローラ１２５とプレッシャローラ２８との間に挟まれると、図８に示したように、最外方の羽根車１２６Ａ及び１２６Ｅが殆ど撓まず、紙幣ＢＬにおける左右の端部領域ＲＤ及びＲＥを上方向に持ち上げる。
【００８１】
また羽根車１２６Ｂ、１２６Ｃ及び１２６Ｄは、左右それぞれにおいて放出ローラ１２５及びプレッシャローラ２８の間に挟まれることにより左右方向に張力が生じた状態となっている紙幣ＢＬの中央領域ＲＣを、上方向へ小さく持ち上げる。
【００８２】
すなわち放出部１２４は、紙幣ＢＬについて、左右の端部領域ＲＤ及びＲＥを大きく持ち上げるだけでなく、左右の放出ローラ１２５及びプレッシャローラ２８の間に挟まれる挟持領域ＲＡ及びＲＢの内側となる中央領域ＲＣを上方向へ小さく持ち上げた状態で、空間２２内へ放出することになる。
【００８３】
因みに上部ガイド２３は、羽根車１２６Ｂ、１２６Ｃ及び１２６Ｄにより小さく持ち上げられた紙幣ＢＬの中央領域ＲＣよりも上側に、その下面が位置するように構成されている。
【００８４】
［２−２．動作及び効果］
以上の構成において、第２の実施の形態によるリジェクト庫１１７は、搬送部１１（図２）から紙幣ＢＬが搬送されてくると、放出部１２４によりシャフト２７と共に放出ローラ２５及び羽根車１２６を矢印Ｆ方向（図３）に回転させ、当該紙幣ＢＬを取り込む。
【００８５】
放出部１２４は、プレッシャローラ２８により紙幣ＢＬを放出ローラ１２５に押し付け、当該プレッシャローラ２８及び放出ローラ１２５の間に当該紙幣ＢＬを挟み込む。
【００８６】
このとき放出部１２４は、羽根車１２６Ａ及び１２６Ｅにおける羽根の弾性力により紙幣ＢＬの端部領域ＲＤ及びＲＥを大きく持ち上げ、また羽根車１２６Ｂ、１２６Ｃ及び１２６Ｄにおける羽根の弾性力により紙幣ＢＬの中央領域ＲＣを小さく持ち上げて、後方向へ進行させる。
【００８７】
これにより紙幣ＢＬは、特に中央領域ＲＣについて上下方向に関する曲げ強度が第１の実施の形態よりも高められるため、全体としての上下方向に関する曲げ強度も第１の実施の形態より高められた状態で空間２２内へ放出される。
【００８８】
このとき上部ガイド２３は、第１の実施の形態と同様、その下面を紙幣ＢＬの中央領域ＲＣ並びに挟持領域ＲＡ及びＲＢと対向させて上方への進行を抑制すると共に、端部領域ＲＤ及びＲＥと当接することなく十分に持ち上げた状態を維持させたまま、すなわち上下方向に関する曲げ強度を高めたまま、空間２２内を後方へ向けてほぼ直進させることができる。
【００８９】
この結果リジェクト庫１１７は、第１の実施の形態と同様、当該紙幣ＢＬの先端を筐体２１と集積済紙幣ＣＢＬとの間に潜り込ませる恐れを格段に低減することができると共に、集積済紙幣ＣＢＬの各紙幣ＢＬに対し位置ずれや傾きを殆ど生じさせることなく、位置を揃えるように新たな紙幣ＢＬを重ねることができるので、最終的に各紙幣ＢＬを整然と集積することができる。
【００９０】
またリジェクト庫１１７は、その他の点についても第１の実施の形態と同様の作用効果を奏し得る。
【００９１】
以上の構成によれば、現金自動預払機１０１のリジェクト庫１１７は、放出部１２４のプレッシャローラ２８及び放出ローラ１２５の間に紙幣ＢＬを挟み込み、羽根車１２６により端部領域ＲＤ及びＲＥ並びに中央領域ＲＣを上方へ持ち上げて後方へ進行させ、空間２２内へ放出する。このときリジェクト庫１１７は、上部ガイド２３をおおむね放出ローラ２５Ａ及び２５Ｂの円錐台部３２Ａ及び３２Ｂよりも内側の範囲にのみ設けたことにより、紙幣ＢＬの上方へ持ち上げられた端部領域ＲＤ及びＲＥを当該上部ガイド２３に当接させることなく、紙幣ＢＬの上下方向への曲げ強度を高めたまま空間２２内を後方へ向けてほぼ直進させることができる。この結果リジェクト庫１１７は、集積済紙幣ＣＢＬと位置を揃えるように新たな紙幣ＢＬを重ねて、整然と集積することができる。
【００９２】
［３．第３の実施の形態］
第３の実施の形態による現金自動預払機２０１は、第２の実施の形態による現金自動預払機１０１と比較して、リジェクト庫１１７に代わるリジェクト庫２１７を有する点が異なるものの、他の点については同様に構成されている。
【００９３】
［３−１．リジェクト庫の構成］
リジェクト庫２１７は、リジェクト庫１１７と比較して、放出部１２４に代わる放出部２２４を有する点が相違するものの、他の点については同様に構成されている。
【００９４】
放出部２２４は、放出部１２４と比較して、図３及び図７の一部と対応する図９並びに図８と対応する図１０に示すように、プレッシャローラ２８Ａ及び２８Ｂの間に突出レバー２４１が設けられ、羽根車１２６Ｃが省略されている点が相違するものの、他の点については同様に構成されている。
【００９５】
突出レバー２４１は、全体として上下方向に細長い直方体状に構成されており、最下端が錐体状に形成されると共に、上端近傍に回動部２４１Ａが設けられている。回動部２４１Ａは、突出レバー２４１全体をプレッシャローラ２８と同軸に回動させ得るようになされている。
【００９６】
また回動部２４１Ａは、図示しないトーションスプリングにより突出レバー２４１全体を所定の付勢力で矢印Ｇ方向に付勢しており、さらに図示しないストッパにより図９に示したように突出レバー２４１の長手方向が真下からやや後方を向いた角度で停止させる。このとき突出レバー２４１の下端部分は、プレッシャローラ２８と放出ローラ１２５との当接面よりも下方へ飛び出した状態となる。
【００９７】
このため突出レバー２４１は、左右のプレッシャローラ２８のほぼ中間となる箇所において、紙幣ＢＬの中央領域ＲＣにおける中央部分を下方へ押し下げることになる。このとき突出レバー２４１は、回動部２４１Ａにより矢印Ｇ方向へ付勢されていることにより、紙幣ＢＬに対し適切な力を加えるようになされている。
【００９８】
［３−２．動作及び効果］
以上の構成において、第３の実施の形態によるリジェクト庫２１７は、搬送部１１（図２）から紙幣ＢＬが搬送されてくると、放出部２２４によりシャフト２７と共に放出ローラ２５及び羽根車１２６を所定の回転速度で矢印Ｆ方向に回転させ、当該紙幣ＢＬを取り込む。
【００９９】
放出部２２４は、プレッシャローラ２８により紙幣ＢＬを放出ローラ１２５に押し付け、当該プレッシャローラ２８及び放出ローラ１２５の間に当該紙幣ＢＬを挟み込む。
【０１００】
このとき放出部２２４は、羽根車１２６Ａ及び１２６Ｅが羽根の弾性力により紙幣ＢＬにおける左右の両端を大きく持ち上げ、また羽根車１２６Ｂ及び１２６Ｄにより紙幣ＢＬの中央領域ＲＣにおける外方寄りの部分を小さく持ち上げ、さらに当該中央領域ＲＣにおける中央部分を突出レバー２４１により下方へ押し下げて、後方向へ進行させる。
【０１０１】
特に突出レバー２４１は、前後方向に関し、プレッシャローラ２８及び放出ローラ１２５により紙幣ＢＬを挟持する箇所及び羽根車１２６により紙幣ＢＬを持ち上げる箇所とほぼ同等の箇所に設けられている。
【０１０２】
このため放出部２２４は、羽根車１２６により端部領域ＲＤ及びＲＥ並びに中央領域ＲＣを持ち上げるとほぼ同時に中央部分を下方へ押し下げることができるため、その形状（図１０）を崩すことなく空間２２内へ放出させることができる。
【０１０３】
これにより紙幣ＢＬは、特に中央領域ＲＣについて上下方向に関する曲げ強度が第２の実施の形態よりもさらに高められるため、全体としての上下方向に関する曲げ強度も第２の実施の形態よりさらに高められた状態で、空間２２内へ放出される。
【０１０４】
このとき上部ガイド２３は、第１及び第２の実施の形態と同様、その下面を紙幣ＢＬの中央領域ＲＣ並びに挟持領域ＲＡ及びＲＢと対向させて上方への進行を抑制すると共に、上方へ持ち上げられた端部領域ＲＤ及びＲＥと当接することなく十分に持ち上げた状態を維持させたまま、すなわち上下方向に関する曲げ強度を高めたまま、空間２２内を後方へ向けてほぼ直進させることができる。
【０１０５】
この結果リジェクト庫２１７は、第１及び第２の実施の形態と同様、当該紙幣ＢＬの先端を筐体２１と集積済紙幣ＣＢＬとの間に潜り込ませる恐れを格段に低減することができると共に、集積済紙幣ＣＢＬの各紙幣ＢＬに対し位置ずれや傾きを殆ど生じさせることなく、位置を揃えるように新たな紙幣ＢＬを重ねることができるので、最終的に各紙幣ＢＬを整然と集積することができる。
【０１０６】
またリジェクト庫２１７は、その他の点についても第２の実施の形態と同様の作用効果を奏し得る。
【０１０７】
以上の構成によれば、現金自動預払機２０１のリジェクト庫２１７は、放出部２２４のプレッシャローラ２８及び放出ローラ１２５の間に紙幣ＢＬを挟み込み、羽根車１２６により端部領域ＲＤ及びＲＥ並びに中央領域ＲＣを上方へ持ち上げ、さらに突出レバー２４１により中央領域ＲＣの中央部分を下方へ押し下げた状態で後方へ進行させ、空間２２内へ放出する。このときリジェクト庫２１７は、上部ガイド２３を主に紙幣ＢＬの中央領域ＲＣ並びに挟持領域ＲＡ及びＲＢと対向する範囲に設けたことにより、紙幣ＢＬの上方へ持ち上げられた端部領域ＲＤ及びＲＥを当該上部ガイド２３に当接させることなく、紙幣ＢＬの上下方向への曲げ強度を高めたまま空間２２内を後方へ向けてほぼ直進させることができる。この結果リジェクト庫２１７は、集積済紙幣ＣＢＬと位置を揃えるように新たな紙幣ＢＬを重ねて、整然と集積することができる。
【０１０８】
［４．他の実施の形態］
なお上述した実施の形態においては、上部ガイド２３を直方体状に形成すると共に主に紙幣ＢＬの中央領域ＲＣ並びに挟持領域ＲＡ及びＲＢと対向する範囲内に止め、紙幣ＢＬの端部領域ＲＤ及びＲＥと対応する部分を省略するようにした場合について述べた。
【０１０９】
しかしながら本発明はこれに限らず、例えば図１１に上部ガイド３２３として示すように、端部領域ＲＤ及びＲＥと対応する部分に斜面を有するような形状としても良い。この場合、要は空間２２内に放出された紙幣ＢＬが後方向へ向けて直進する時に、持ち上げられた端部領域ＲＤ及びＲＥを下方向へ押し戻してしまうこと、すなわち当該紙幣ＢＬの上下方向に関する曲げ強度の低下を回避できれば良い。
【０１１０】
また上述した実施の形態においては、主に紙幣ＢＬの中央領域ＲＣ並びに挟持領域ＲＡ及びＲＢと対向する全範囲を占めるように上部ガイド２３を設けた場合について述べた。
【０１１１】
しかしながら本発明はこれに限らず、例えば図１２に上部ガイド３３３として示すように、３個の部材３３３Ａ、３３３Ｂ及び３３３Ｃを左右方向に間隔を空けて設けることにより、紙幣ＢＬの中央領域ＲＣ並びに挟持領域ＲＡ及びＲＢと対向する範囲の一部を占めるような上部ガイドを設けるようにしても良い。これにより上部ガイド３３３は、紙幣ＢＬが上方へ進行しようとしてその先端が下面に当接した際に、摩擦による抵抗を小さく抑えることができるので、紙幣ＢＬの後方への進行速度を大きく低減させることなく、ビルストッパ３０へ到達させることができる。
【０１１２】
この場合、要は空間２２内へ放出された紙幣ＢＬが上方へ進行しようとした時に、上部ガイドの下面が紙幣ＢＬの中央領域ＲＣ並びに挟持領域ＲＡ及びＲＢの一部と当接することにより上方への進行を抑制でき、また当該紙幣ＢＬを引っかけることなく、後方へ進行するよう案内できれば良い。
【０１１３】
さらに上述した第３の実施の形態においては、上部ガイド２３の下面を平面状に形成するようにした場合について述べた。
【０１１４】
しかしながら本発明はこれに限らず、例えば図１３に示すように、紙幣ＢＬが部分的に持ち上げられて形成された形状に合わせて起伏を設けるようにしても良い。これにより、放出後の紙幣ＢＬが自然形状、すなわち平板状に戻ることを抑制して、上下方向への曲げ強度を高めた状態を維持させることができる。
【０１１５】
さらに上述した実施の形態においては、前後方向に関し上部ガイド２３の断面形状を一様とするようにした場合について述べた。
【０１１６】
しかしながら本発明はこれに限らず、例えば図１１と対応する図１４に上部ガイド３４３として示すように、前後方向に関し断面形状を徐々に変化させるようにしても良い。特に上部ガイド３４３の場合、後方へ進むに連れて、左右の斜面の傾斜が小さくなり中央部分と同様の水平面に近づいていく。このため上部ガイド３４３は、空間２２内へ紙幣ＢＬが放出された時には上方へ持ち上げられていた端部領域ＲＤ及びＲＥを、紙幣ＢＬが後方へ進行するに連れて徐々に下方へ押し下げていき、ビルストッパ３０との衝突時点ではほぼ平面状に戻すことができるので、最終的に当該紙幣ＢＬを集積済紙幣ＣＢＬと揃えるように位置を合わせて集積させることができる。
【０１１７】
さらに上述した第１の実施の形態においては、放出ローラ２５の一部分として回転する円錐台部３２により紙幣ＢＬの端部領域ＲＤ及びＲＥを上方へ持ち上げるようにした場合について述べた（図５）。
【０１１８】
しかしながら本発明はこれに限らず、例えば放出ローラ２５を円柱部３１のみにより構成すると共に、円錐台部３２を独立して設け、或いは当該円錐台部３２の位置に回転しない突起や斜面等を設け、当該突起や斜面等により紙幣ＢＬの端部領域ＲＤ及びＲＥを上方へ持ち上げるようにしても良い。この場合、突起や斜面等の表面を平滑化することにより紙幣ＢＬを円滑に進行させることが望ましい。
【０１１９】
さらに上述した第３の実施の形態においては、中央領域ＲＣが僅かに上方へ持ち上げられた状態で、その中央部分を突出レバー２４１により下方へ押し下げるようにした場合について述べた。
【０１２０】
しかしながら本発明はこれに限らず、例えば第１の実施の形態のように中央領域ＲＣを持ち上げることなく挟持領域ＲＡ及びＲＢと同等の高さとする場合に、当該中央領域ＲＣの中央部分を突出レバー２４１により下方へ押し下げるようにしても良い。
【０１２１】
さらに上述した第３の実施の形態においては、回動部２４１Ａを中心に突出レバー２４１を回動させるようにした場合について述べた。
【０１２２】
しかしながら本発明はこれに限らず、例えば突出レバー２４１を上下方向へ揺動可能に構成すると共に所定のスプリング等により下方向へ付勢するようにしても良く、或いは突出レバー２４１を固定するようにしても良い。要は、突出レバー２４１により適切な力を紙幣ＢＬに加えることができれば良い。
【０１２３】
さらに上述した第３の実施の形態においては、突出レバー２４１を１個のみ設けるようにした場合について述べた。
【０１２４】
しかしながら本発明はこれに限らず、例えば第２の実施の形態における羽根車１２６Ｂ及び１２６Ｃの間と、羽根車１２６Ｃ及び１２６Ｄの間とに対応する箇所にそれぞれ突出レバー２４１を設けるなど、当該突出レバー２４１を２個以上設けるようにしても良い。
【０１２５】
さらに上述した第１の実施の形態においては、放出ローラ２５及びプレッシャローラ２８をそれぞれ２個ずつ設け、羽根車２６を５個又設けるようにした場合について述べた。
【０１２６】
しかしながら本発明はこれに限らず、例えば、紙幣ＢＬの長手方向の長さ等に応じて、放出ローラ２５及びプレッシャローラ２８をそれぞれ４個ずつ設け、羽根車２６を７個設ける等、それぞれ任意数を設けるようにしても良い。要は、紙幣ＢＬを安定的に進行させると共に空間２２内へ放出できれば良い。この場合、紙幣ＢＬのうち、最も外方に位置する放出ローラ２５及びプレッシャローラ２８よりも外方の部分を上方向に持ち上げれば良い。第２及び第３の実施の形態についても同様であり、この場合放出ローラ２５及びプレッシャローラ２８に挟まれた部分を上方に小さく持ち上げれば良い。
【０１２７】
また放出ローラ２５（又は１２５）及びプレッシャローラ２８並びに羽根車２６（又は１２６）の左右方向に関する位置についても、紙幣ＢＬの長手方向の長さ等に応じて適宜定めることができる。例えば第２の実施の形態において、紙幣ＢＬにおける長手方向の（すなわち左右方向の）長さが長い場合、図８と対応する図１５に示すリジェクト庫４１７のように構成することが考えられる。
【０１２８】
このリジェクト庫４１７は、リジェクト庫１１７（図８）と比較して、放出ローラ１２５Ａ及び１２５Ｂと羽根車１２６Ａ及び１２６Ｅとの間隔を広げ、また上部ガイド２３の上下方向の長さを長く、すなわち放出ローラ１２５とプレッシャローラ２８との当接面から天板２１Ａまでの距離が長くなっている。
【０１２９】
このリジェクト庫４１７は、第２の実施の形態におけるリジェクト庫１１７と同様、紙幣ＢＬの上下方向に関する曲げ強度を高めて空間２２内を直進させることができる。
【０１３０】
また、第１の実施の形態において紙幣ＢＬにおける長手方向の長さが短い場合、図５と対応する図１６に示すリジェクト庫５１７のように構成することが考えられる。
【０１３１】
リジェクト庫５１７は、放出ローラ２５Ａ及び２５Ｂと羽根車２６Ａ及び２６Ｅとの間隔を狭め、また上部ガイド２３の上下方向の長さを短く、すなわち放出ローラ２５とプレッシャローラ２８との当接面から天板２１Ａまでの距離を短くなっている。さらにリジェクト庫５１７では、羽根車２６Ｂ〜２６Ｄに代わる羽根車１２６Ｂ〜１２６Ｄにより、第２の実施の形態と同様に紙幣ＢＬの中央領域ＲＣを僅かに上方へ持ち上げている。
【０１３２】
このリジェクト庫５１７は、第１の実施の形態におけるリジェクト庫１７と同様、紙幣ＢＬの上下方向に関する曲げ強度を高めて空間２２内を直進させることができる。
【０１３３】
さらに、リジェクト庫１７が対応すべき紙幣ＢＬが複数種類でありそれぞれの長手方向の長さが異なる場合には、羽根車１２６Ａ及び１２６Ｅ最も長い紙幣ＢＬの左右両端が天板２１Ａや上部ガイド２３に当接せず、且つ最も短い紙幣ＢＬについて端部領域ＲＤ及びＲＥを確実に持ち上げることができれば良い。
【０１３４】
さらに上述した第１の実施の形態においては、シャフト２７と一体に回転する放出ローラ２５により紙幣ＢＬを空間２２内へ放出させるようにした場合について述べた。
【０１３５】
しかしながら本発明はこれに限らず、例えば放出ローラ２５を省略し、隣接する搬送部１１（図２）を構成する搬送ベルトの終端部分から紙幣ＢＬを空間２２内へ放出させるようにしても良く、或いは所定のブロワ等から放出する気流により紙幣ＢＬを空間２２内へ放出させる等、種々の手法を用いて紙幣ＢＬを空間２２内へ放出するようにしても良い。これらの場合、上述したように円錐台部３２に代わる突起や斜面等を設けることにより、紙幣ＢＬの端部領域ＲＤ及びＲＥを上方へ持ち上げるようにすることができる。第２及び第３の実施の形態についても同様である。
【０１３６】
さらに上述した第１の実施の形態においては、放出部２４において、紙幣ＢＬの走行経路の下側にシャフト２７と共に回転駆動される放出ローラ２５を設け、上側にプレッシャローラ２８を設けるようにした場合について述べた。
【０１３７】
しかしながら本発明はこれに限らず、紙幣ＢＬの走行経路の上側に回転駆動される放出ローラ２５を設け、下側にプレッシャローラ２８を設けるようにしても良く、或いは上下双方に回転駆動される放出ローラ２５を設けるようにしても良い。この場合、下側に配置されるローラにおける左右の外方を円錐台部３２のように大径化すれば良い。第２及び第３の実施の形態についても同様である。
【０１３８】
さらに上述した第１の実施の形態においては、放出ローラ２５と羽根車２６とを同一のシャフト２７に貫通させ、これらを一体に回転させるようにした場合について述べた。
【０１３９】
しかしながら本発明はこれに限らず、放出ローラ２５と羽根車２６とを互いに異なるシャフトに貫通させ、互いに独立して回転させるようにしても良い。さらには放出ローラ２５Ａ及び２５Ｂを互いに独立に回転させ、或いは羽根車２６Ａ〜２６Ｅをそれぞれ独立に回転させるようにしても良い。第２及び第３の実施の形態についても同様である。
【０１４０】
さらに上述した実施の形態においては、リジェクト紙幣を収納するリジェクト庫１７、１１７又は１２７に本発明を適用するようにした場合について述べた。
【０１４１】
しかしながら本発明はこれに限らず、例えば紙幣収納庫１６や、顧客が取り忘れた紙幣を収納する取忘れ紙幣収納庫等、所定の空間内に紙幣を放出して集積する種々の箇所に適用するようにしても良い。
【０１４２】
さらに上述した実施の形態においては、リジェクト庫１７、１１７又は１２７において紙幣ＢＬを外部へ排出する機構を設けないようにした場合について述べた。
【０１４３】
しかしながら本発明はこれに限らず、例えば本発明を紙幣収納庫１６に適用する場合に、集積済紙幣ＣＢＬのうち最上層の紙幣ＢＬを順次分離して排出する排出機構を設けるようにしても良い。
【０１４４】
さらに上述した実施の形態においては、紙幣ＢＬを短手方向に沿って搬送すると共に空間２２内へ放出するようにした場合について述べた。
【０１４５】
しかしながら本発明はこれに限らず、当該紙幣ＢＬを長手方向に沿って搬送ると共に空間２２内へ放出するようにしても良い。この場合、紙幣ＢＬの短手方向の幅に合わせて、放出ローラ２５及びプレッシャローラ２８並びに羽根車２６等を配置すると共にその数を定めれば良い。
【０１４６】
さらに上述した実施の形態においては、現金を取引する現金自動預払機１のリジェクト庫１７、１１７又は２１７において、媒体としての紙幣ＢＬを集積するようにした場合について述べた。
【０１４７】
しかしながら本発明はこれに限らず、例えば商品券や金券、入場券等のような薄く撓ませることができるような、すなわち端部領域ＲＤ及びＲＥを持ち上げることができるような紙葉状の媒体を集積する種々の装置に適用するようにしても良い。この場合、媒体の大きさや形状に応じて上部ガイド２３の左右方向及び上下方向の長さを適宜定めれば良い。
【０１４８】
さらに上述した実施の形態においては、筐体としての筐体２１と、放出部としての放出部２４、１２４又は２２４と、持ち上げ部としての円錐台部３２又は羽根車１２６と、上部ガイドとしての上部ガイド２３とによって媒体集積装置としてのリジェクト庫１７、１１７又は２１７を構成する場合について述べた。
【０１４９】
しかしながら本発明はこれに限らず、その他種々の構成でなる筐体と、放出部と、持ち上げ部と、上部ガイドとによって媒体集積装置を構成するようにしても良い。
【０１５０】
さらに上述した実施の形態においては、受付部としての接客部３と、搬送部としての搬送部１１と、筐体としての筐体２１と、放出部としての放出部２４、１２４又は２２４と、持ち上げ部としての円錐台部３２又は羽根車１２６と、上部ガイドとしての上部ガイド２３とによって媒体集積装置としてのリジェクト庫１７、１１７又は２１７を構成する場合について述べた。
【０１５１】
しかしながら本発明はこれに限らず、その他種々の構成でなる受付部と、搬送部と、筐体と、放出部と、持ち上げ部と、上部ガイドとによって媒体集積装置を構成するようにしても良い。
【産業上の利用可能性】
【０１５２】
本発明は、搬送されてくる紙幣等の紙葉状の媒体を所定の空間内に放出し重ねて集積する種々の装置でも利用できる。
【符号の説明】
【０１５３】
１、１０１、２０１……現金自動預払機、３……接客部、１１……搬送部、１７、１１７、２１７……リジェクト庫、２１……筐体、２２……空間、２３……上部ガイド、２５、１２５……放出ローラ、２６、１２６……羽根車、２７……シャフト、２８……プレッシャローラ、２９……シャフト、３０……ビルストッパ、３１……円柱部、３２……円錐台部、２４１……突出レバー、ＢＬ……紙幣、ＣＢＬ……集積済紙幣。
【図１】
0005712876.tif 000002
【図２】
0005712876.tif 000003
【図３】
0005712876.tif 000004
【図４】
0005712876.tif 000005
【図５】
0005712876.tif 000006
【図６】
0005712876.tif 000007
【図７】
0005712876.tif 000008
【図８】
0005712876.tif 000009
【図９】
0005712876.tif 000010
【図１０】
0005712876.tif 000011
【図１１】
0005712876.tif 000012
【図１２】
0005712876.tif 000013
【図１３】
0005712876.tif 000014
【図１４】
0005712876.tif 000015
【図１５】
0005712876.tif 000016
【図１６】
0005712876.tif 000017
【図１７】
0005712876.tif 000018
【図１８】
0005712876.tif 000019
【図１９】
0005712876.tif 000020